(57)【特許請求の範囲】
【請求項１】
ユーザ(1)を登録する要求をユーザ装置(UE)から受け取る手段(31)であって、前記要求は、前記ユーザ装置(UE)の連絡先アドレスにおけるインターネットプロトコル(IP)アドレスを含む、前記手段と、
前記要求が非常サービスに対する登録要求を含むかどうか決定する手段(32)と、
非常パケットデータ接続に割り当てられたインターネットプロトコル(IP)アドレスに関する情報を維持する手段(34)と、
前記要求が非常パケットデータ接続を経て受け取られたかどうか決定する手段(33)であって、前記決定は、前記要求におけるインターネットプロトコル(IP)アドレスが、非常パケットデータ接続に割り当てられたインターネットプロトコル(IP)アドレスに属するかどうか決定することを含む手段(33)と、
インターネットプロトコル(IP)アドレスが、前記決定に基づいて、非常パケットデータ接続に割り当てられ、且つ前記要求が非常サービスに対する登録要求でない場合に、前記要求を拒絶する手段と、を備えたセッションコントロールエンティティ(3)。
【請求項２】
前記要求におけるインターネットプロトコル(IP)アドレスは、ユーザの連絡先アドレスを含み、及び／又はセッションイニシエーションプロトコルの連絡先ヘッダに埋め込まれる、請求項１に記載のセッションコントロールエンティティ。
【請求項３】
前記決定に基づき、前記要求が非常サービスに対する登録要求を含む場合には、前記要求を別のセッションコントロールエンティティへ送り出す手段(35)を更に備えた、請求項１又は２に記載のセッションコントロールエンティティ。
【請求項４】
非常パケットデータ接続に対してある範囲のインターネットプロトコル(IP)アドレスを指定する段階(51)と、
セッションコントロールエンティティ(P-CSCF)において前記範囲のインターネットプロトコル(IP)アドレスを構成する段階(52)と、
ユーザ装置(UE)の連絡先アドレスにおけるインターネットプロトコル(IP)アドレスを含む登録要求をユーザ装置(UE)から受け取るときにユーザ装置(UE)が非常登録以外の要求に対して非常パケットデータ接続を使用するかどうかセッションコントロールエンティティにより検出する段階(53)であって、前記検出は、前記登録要求におけるインターネットプロトコル(IP)アドレスが非常パケットデータ接続に対するインターネットプロトコル(IP)アドレスを含むかどうか検出することを含むような段階(53)と、
ユーザ装置(UE)が非常登録以外の要求に対して非常パケットデータ接続を使用する場合には前記要求を拒絶する段階(54)と、
を備えた登録方法。
【請求項５】
非常パケットデータ接続に割り当てられたインターネットプロトコル(IP)アドレスに関する情報をセッションコントロールエンティティ維持する手段(34)と、
パケットデータゲートウェイにおけるパケットデータ接続の確立中に、パケットデータ接続が非常パケットデータ接続を含む場合には非常パケットデータ接続に割り当てられたインターネットプロトコル(IP)アドレスをユーザに指定する手段(22, 25)と、
セッションコントロールエンティティにおいて、ユーザを登録する要求がユーザ装置から非常パケットデータ接続を経て受け取られたかどうか決定する手段(33)であって、前記要求は、前記ユーザ装置の連絡先アドレスにおけるインターネットプロトコル(IP)アドレスを含み、その決定は、前記要求におけるインターネットプロトコル(IP)アドレスが、非常パケットデータ接続に割り当てられたインターネットプロトコル(IP)アドレスに属するかどうか決定することを含むような手段(33)と、
ユーザ装置(UE)が非常登録以外の要求に対して非常パケットデータ接続を使用する場合には前記要求を拒絶する手段(54)と、
を備えたシステム。
【請求項６】
前記非常パケットデータ接続に割り当てられたインターネットプロトコル(IP)アドレスは、ある範囲のインターネットプロトコル(IP)アドレスを含む、請求項５に記載のシステム。
【請求項７】
コンピュータのメモリにロードされたときに、請求項４に記載の段階を発生するコード手段を含むコンピュータプログラム。
【発明の詳細な説明】
【技術分野】
【０００１】
本発明は、登録のためのメカニズムに関する。より詳細には、本発明は、非常パケットデータ接続に割り当てられたインターネットプロトコル（ＩＰ）アドレスをユーザに対して指定するための方法及び装置に関する。
【背景技術】
【０００２】
第３世代パートナーシッププロジェクト（３ＧＰＰ）により定義されたＩＰ（インターネットプロトコル）マルチメディアサブシステム（ＩＭＳ）内において、インターネットエンジニアリングタスクフォース（ＩＥＴＦ）により定義されたセッションイニシエーションプロトコル（ＳＩＰ）は、通信を制御するために使用される。ＳＩＰは、１人以上の参加者とのセッションを生成し、変更し及び終了するためのアプリケーションレイヤコントロールプロトコルである。これらのセッションは、インターネットマルチメディア会議、インターネット電話コール及びマルチメディア配布を含む。セッションのメンバーは、マルチキャスト、ユニキャスト関係のメッシュ、又はそれらの組み合わせを経て通信することができる。セッション記述プロトコル（ＳＤＰ）とは、セッション記述の受信者がセッションに参加できるようにマルチメディアセッションにおけるメディアストリームに関する情報を搬送するプロトコルである。ＳＤＰの提案及び回答は、ＳＩＰメッセージにおいて搬送される。ダイアメータ(Diameter)プロトコルは、ＩＥＴＦによって定義されており、ネットワークアクセス又はＩＰ移動性のようなアプリケーションに対して認証、許可及びアカウンティング（ＡＡＡ）フレームワークを提供することが意図される。
【０００３】
一般的に、ユーザ装置のようなネットワーク要素と、別の通信装置、又はユーザ装置、データベース、サーバー、等との間の通信接続を適切に確立して取り扱うために、異なる通信ネットワークに属するコントロールネットワーク要素、サポートノード、サービスノード及びインターワーキング要素のような１つ以上の中間ネットワーク要素が含まれる。
【発明の概要】
【発明が解決しようとする課題】
【０００４】
又、ＩＭＳ非常サービスのための手順も、３ＧＰＰにより定義されている。非常コールは、非常サービスの一例である。ＩＭＳ非常セッションを確立する前に、ユーザ装置（ＵＥ）をＩＰ接続アクセスネットワーク（ＩＰ−ＣＡＮ）に取り付けて、（ローカル条例により要求される場合には）ＩＭＳに登録しなければならない。ＩＭＳ非常サービスをサポートするために、あるアクセス技術では、記述チェック及びセキュリティ手順を抑制しそしてＵＥに対するプライオリティを与える非常用取り付け手順が定義される。それにより得られる非常ＰＤＮ接続は、非常手順（非常登録及び非常セッション）のみに使用されるだけである。セッションコントロールレイヤ（ＩＭＳ）では、Ｐ−ＣＳＣＦは、非常目的ではないが、非常ＰＤＮ接続を使用して受け取られるＩＭＳ登録は拒絶しなければならない。
【課題を解決するための手段】
【０００５】
本発明は、ユーザを登録する要求を受け取り、その要求が非常サービスに対する登録の要求を含むかどうか決定し、非常パケットデータ接続に割り当てられたインターネットプロトコル（ＩＰ）アドレスの情報を維持し、そしてその要求が非常パケットデータ接続を経て受け取られたかどうか決定することを含み、前記決定することは、その要求におけるインターネットプロトコル（ＩＰ）アドレスが、非常パケットデータ接続に割り当てられたインターネットプロトコル（ＩＰ）アドレスに属するかどうか決定することを含むような装置、方法及びコンピュータプログラム製品を提供することにより、前記欠点を克服する。
【０００６】
前記装置、方法及びコンピュータプログラム製品は、更に、インターネットプロトコル（ＩＰ）アドレスが、前記決定に基づき、非常パケットデータ接続に割り当てられており且つ前記要求が非常サービスに対する登録の要求でない場合には、前記要求を拒絶することを含む。
【０００７】
前記要求におけるインターネットプロトコル（ＩＰ）アドレスは、ユーザの連絡先アドレスであり、及び／又はセッションイニシエーションプロトコルの連絡先ヘッダに埋め込まれる。
【０００８】
前記装置、方法及びコンピュータプログラム製品は、更に、前記決定に基づき、前記要求が非常サービスに対する登録の要求である場合には、前記要求を別のセッションコントロールエンティティへ送り出すことを含む。
【０００９】
更に、パケットデータ接続の確立中に、そのパケットデータ接続が非常パケットデータ接続を含む場合には、非常パケットデータ接続に割り当てられたインターネットプロトコル（ＩＰ）アドレスをユーザに指定することを含む装置、方法及びコンピュータプログラム製品が提供される。
【００１０】
前記装置、方法及びコンピュータプログラム製品は、更に、パケットデータ接続の確立中にユーザから受け取った指示に基づき、パケットデータ接続が非常パケットデータ接続を含むかどうか判断することを含む。
【００１１】
前記装置、方法及びコンピュータプログラム製品は、更に、ユーザを登録する要求が非常パケットデータ接続を経て受け取られたかどうか決定することを含み、前記決定は、その要求におけるインターネットプロトコル（ＩＰ）アドレスが非常パケットデータ接続に割り当てられたインターネットプロトコル（ＩＰ）アドレスに属するかどうか決定することを含む。
【００１２】
前記装置、方法及びコンピュータプログラム製品は、更に、前記要求が非常サービスに対する登録の要求であるかどうか決定することを含む。
【００１３】
前記要求が非常サービスに対する登録の要求であるかどうか決定することは、前記要求において、非常サービスについてユーザが登録されることを示す指示を検出することを含む。
【００１４】
前記装置、方法及びコンピュータプログラム製品は、更に、前記決定に基づいて、前記要求が非常パケットデータ接続を経て受け取られ、且つ前記要求が非常サービスに対する登録の要求でない場合には、前記要求を拒絶することを含む。
【００１５】
前記装置、方法及びコンピュータプログラム製品は、更に、前記決定に基づいて、前記要求が非常サービスに対する登録の要求である場合には、前記要求をセッションコントロールエンティティへ送信することを含む。
【００１６】
更に、パケットデータゲートウェイ（ＧＧＳＮ、Ｐ−ＧＷ）における非常パケットデータ接続に対してある範囲のインターネットプロトコル（ＩＰ）アドレスを指定し、セッションコントロールエンティティ（Ｐ−ＣＳＣＦ）において前記範囲のインターネットプロトコル（ＩＰ）アドレスを構成し、更に、ユーザ装置（ＵＥ）から登録要求を受け取るときにユーザ装置（ＵＥ）が非常登録以外の要求に対して非常パケットデータ接続を使用するかどうかセッションコントロールエンティティにより検出することを含み、前記検出することは、ユーザ装置（ＵＥ）の連絡先アドレスにおけるインターネットプロトコル（ＩＰ）アドレスが非常パケットデータ接続に対するインターネットプロトコル（ＩＰ）アドレスを含むかどうか検出し、そしてユーザ装置（ＵＥ）が非常登録以外の要求に対して非常パケットデータ接続を使用する場合には前記要求を拒絶することを含むような装置、方法及びコンピュータプログラム製品が提供される。
【００１７】
更に、パケットデータ接続の確立中に、そのパケットデータ接続が非常パケットデータ接続を含む場合には、非常パケットデータ接続に割り当てられたインターネットプロトコル（ＩＰ）アドレスをユーザに指定することを含む装置、方法及びコンピュータプログラム製品が提供される。
【００１８】
前記装置、方法及びコンピュータプログラム製品は、更に、パケットデータ接続の確立中にユーザから受け取った指示に基づき、パケットデータ接続が非常パケットデータ接続を含むかどうか判断することを含む。
【００１９】
前記装置は、パケットデータゲートウェイ、ゲートウェイＧＰＲＳサポートノード、又はパケットデータネットワークゲートウェイである。
【００２０】
更に、非常パケットデータ接続に割り当てられたインターネットプロトコル（ＩＰ）アドレスに関する情報をパケットデータゲートウェイに維持し、非常パケットデータ接続に割り当てられたインターネットプロトコル（ＩＰ）アドレスに関する情報をセッションコントロールエンティティ維持し、パケットデータゲートウェイにおけるパケットデータ接続の確立中に、パケットデータ接続が非常パケットデータ接続を含む場合には非常パケットデータ接続に割り当てられたインターネットプロトコル（ＩＰ）アドレスをユーザに指定し、そしてセッションコントロールエンティティにおいて、ユーザを登録する要求が非常パケットデータ接続を経て受け取られたかどうか決定することを含み、その決定は、前記要求におけるインターネットプロトコル（ＩＰ）アドレスが、非常パケットデータ接続に割り当てられたインターネットプロトコル（ＩＰ）アドレスに属するかどうか決定することを含む装置、方法及びコンピュータプログラム製品が提供される。
【００２１】
非常パケットデータ接続に割り当てられたインターネットプロトコル（ＩＰ）アドレスは、ある範囲のインターネットプロトコル（ＩＰ）アドレスを含む。
【発明の効果】
【００２２】
本発明の実施形態は、次の効果の１つ以上を含む。
Ｐ−ＣＳＣＦは、非常目的ではないのに非常ＰＤＮ接続から受け取られるＩＭＳ登録を拒絶することができる。
非常登録要求を開始するＵＥは、ＳＩＰ及びＰＤＮの両接続におけるプライオリティを受け取る。
詐欺的ユーザ（ＵＥ）が非常時以外の目的で非常ＰＤＮ接続を使用するのを防止する。
非常時のＰＤＮ接続及び通常のＰＤＮ接続の使用をＳＩＰレイヤにおいて区別することができる。
【図面の簡単な説明】
【００２３】
【図１】本発明の態様による当該ネットワーク要素間のシグナリングを示す。
【図２】本発明の態様を具現化する装置の内部構造及び機能を例示する。
【図３】本発明の態様を具現化する装置の内部構造及び機能を例示する。
【図４】本発明の態様を具現化する規範的プロセスを示す。
【図５】本発明の態様を具現化する規範的プロセスを示す。
【発明を実施するための形態】
【００２４】
ＩＭＳネットワークには、異なる形式のネットワークエンティティ及びファンクションが存在する。コールセッションコントロールファンクション（ＣＳＣＦ）は、ＳＩＰレイヤにおいてセッションコントロールファンクションを実施する。ＣＳＣＦは、プロキシーＣＳＣＦ（Ｐ−ＣＳＣＦ）、サービングＣＳＣＦ（Ｓ−ＣＳＣＦ）、又は質問ＣＳＣＦ（Ｉ−ＣＳＣＦ）として働くことができる。Ｐ−ＣＳＣＦは、ＩＭＳ内のユーザ装置（ＵＥ）の第１の連絡ポイントであり、Ｓ−ＣＳＣＦは、ネットワークのセッション状態を取り扱い、Ｉ−ＣＳＣＦは、主として、そのネットワークオペレータの加入者又はそのネットワークオペレータのサービスエリア内に現在位置するローミング中の加入者を行先とする全てのＩＭＳ接続に対するオペレータネットワーク内の連絡ポイントである。
【００２５】
Ｉ−ＣＳＣＦにより遂行されるファンクションは、例えば、ＳＩＰ登録を遂行するユーザにＳ−ＣＳＣＦを指定し、そして別のネットワークから受け取ったＳＩＰ要求をＳ−ＣＳＣＦに向けてルーティングすることである。Ｓ−ＣＳＣＦは、ＵＥに対するセッションコントロールサービスを遂行することができる。これは、サービスをサポートするためにネットワークオペレータにより要求されるセッション状態を維持し、そしてレジスタとして働くことができ、即ち登録要求を受け容れて、その情報を、位置サーバー（例えば、ＨＳＳ）を経て利用できるようにする。Ｓ−ＣＳＣＦは、そのＳ−ＣＳＣＦがホストであるユーザに対して中央ポイントである。Ｓ−ＣＳＣＦは、登録されたユーザ及び未登録のユーザにそれが指定されると、それらユーザにサービスを提供することができる。この指定は、ホーム加入者サーバー（ＨＳＳ）に記憶される。
【００２６】
ＩＰ接続性アクセスネットワーク（ＩＰ−ＣＡＮ）とは、ＵＥとＩＭＳエンティティとの間に基礎的なＩＰ搬送接続性を与えるネットワークエンティティ及びインターフェイスの集合を指す。例えば、ＧＰＲＳネットワークは、ＩＰ接続性アクセスネットワークとして使用することができる。
【００２７】
サービングＧＰＲＳサポートノード（ＳＧＳＮ）は、ベースステーションサブシステム又は無線アクセスネットワークを経てパケットを送信又は受信することによってＧＰＲＳ移動ステーションにサービスするＩＰ−ＣＡＮのＧＰＲＳサポートノードである。ＳＧＳＮは、ＧＰＲＳインフラストラクチャーの基本的要素である。これは、その環境における各移動ステーションに対し、パケットをルーティングするのに使用される異なるパラメータ、例えば、移動ステーションの位置に関する情報を記憶する。
【００２８】
ゲートウェイＧＰＲＳサポートノード（ＧＧＳＮ）とは、ＧＰＲＳ取り付け順においてＧＰＲＳ移動ステーションのためのＩＰアドレス割り当てを担当するＩＰ−ＣＡＮのＧＰＲＳサポートノードである。
【００２９】
移動管理エンティティ（ＭＭＥ）とは、長期進化（ＬＴＥ）の環境においてユーザ装置及びユーザアイデンティティ、移動状態、セキュリティパラメータ、及びＩＰベアラ状態を管理及び記憶する役割を果たすＩＰ−ＣＡＮのコントロールノードである。ＭＭＥは、例えば、ユーザを認証し、一時的アイデンティティを発生し、そしてそれらをＵＥに割り当てることができる。ＭＭＥは、ＵＥが追跡エリアにおいてキャンプできるか、公衆地上移動ネットワーク（ＰＬＭＮ）においてキャンプできるかチェックすることができる。ＭＭＥは、進化型パケットコア（ＥＰＣ）のサブコンポーネントである。
【００３０】
パケットデータネットワーク（ＰＤＮ）ゲートウェイ（ＰＤＮ−ＧＷ、Ｐ−ＧＷ）は、ＥＰＣ取り付け手順においてＩＰアドレス割り当てを担当する進化型パケットコア（ＥＰＣ）ネットワーク要素である。
【００３１】
ＣＳＣＦへのＩＭＳ登録において、ユーザ装置（ＵＥ）は、特定の時間中、ＣＳＣＦにそれ自身を登録し、そしてＣＳＣＦは、ＵＥのサービングＣＳＣＦ（Ｓ−ＣＳＣＦ）となる。ＵＥがＣＳＣＦに登録される時間は、登録寿命を称される。登録寿命中、ＵＥの連絡先アドレス（ＩＰアドレス）とユーザのパブリックユーザアイデンティティ（両方とも登録要求において与えることができる）との間にバインディングを生成することができる。
【００３２】
非常登録は、非常サービスに使用される連絡先アドレスへのパブリックユーザアイデンティティのバインディングに関連した特殊な登録である。連絡先アドレスは、ＳＩＰ連絡先ヘッダに埋め込まれる。非常サービス関連要求は、ＩＭＳにおける通常の要求に勝るプライオリティを得ることができる。
【００３３】
公共安全回答ポイント（ＰＳＡＰ）は、非常コールに回答する役割を果たす非常サービスのためのネットワーク要素である。
【００３４】
認証手順は、ユーザに請求されるアイデンティティを確認することである。認証は、例えば、パスワード又はユーザ名で行われるか、或いはユーザが接続を希望するシステム、例えば、ウェブサイトであることをチェックすることにより行われる。又、認証は、暗号システム及びデジタル署名の使用も含む。認証される当事者は、ユーザ、加入者、ホーム環境、又はサービングネットワークである。
【００３５】
ＵＥがＩＭＳと通信できる前に、ＵＥは、ＧＰＲＳアクセスネットワークのようなＩＰ−ＣＡＮとのパケットデータネットワーク（ＰＤＮ）接続を確立する。ＵＥは、例えば、ダイナミックホストコンフィギュレーションプロトコル（ＤＨＣＰ）又はインターネットプロトコルコントロールプロトコル（ＩＰＣＰ）のような標準的ＩＥＴＦプロトコル、或いはＵＥが接続されるＩＰ−ＣＡＮに特有の他の方法のいずれかを使用して、ＩＰアドレスを得ることができる。ＵＥは、その得られたＩＰアドレスを使用して、最初の登録から、ＵＥがＩＭＳに接続される期間全体にわたりシグナリンを続けることができる。パケットデータプロトコル（ＰＤＰ）コンテクストは、ＰＤＮ接続の一例である。
【００３６】
次いで、ＵＥは、Ｐ−ＣＳＣＦ発見を遂行し、ＵＥは、ＩＭＳへの通信に使用するのに適したＰ−ＣＳＣＦを発見することができる。Ｐ−ＣＳＣＦ発見の手順は、使用するＩＰ−ＣＡＮの形式に依存する。ＵＥは、ＤＨＣＰ又は他の手段を使用して、Ｐ−ＣＳＣＦのＩＰアドレスを取得することができる。ＵＥは、ドメイン名サーバー（ＤＮＳ）及びＰ−ＣＳＣＦアドレスを含むコンフィギュレーション情報をＤＨＣＰサーバー要求する。
【００３７】
ＵＥは、非常セッションが要求されていることをＵＥが検出すると、例えば、非常登録のような非常サービス手順を遂行することができる。
【００３８】
ＵＥは、例えば、エンドユーザが非常番号（例えば、ヨーロッパでは１１２、又は米国では９１１）をダイヤルするので、非常セッションを確立すべきことを検出することができる。ＵＥは、非常セッションを確立するためにリソースが入手できるかどうか決定しなければならず、例えば、ネットワークに対するパケットデータプロトコル（ＰＤＰ）コンテクストが必要とされる。ＵＥは、進行中の通信セッションを終了し、及び／又は予約されたベアラリソースを解除して、非常セッションのための空きリソースを得ることができる。
【００３９】
ＵＥがＩＭＳ登録されても、ＵＥがユーザのホームネットワークではなくて訪問先ネットワークで非常セッションをローカルに取り扱うためにそのホームネットワーク以外でローミングしている場合には、非常目的でしか新規の登録を行うことができない。又、ＵＥは、非常セッション要求の結果として「ＩＭＳ非常登録が要求された」の応答を受け取ったときに、ＩＭＳ非常登録を開始することもできる。
【００４０】
ＵＥがＩＭＳ非常登録を開始しなければならないときに、ＵＥは、例えば、特定形式のＩＰ−ＣＡＮに対して非常アクセスが定義されているとき、先ず、ＩＰ−ＣＡＮへの非常アクセスを開始することができる。非常アクセスを確立する目的は、ＵＥがローミング中であるときに訪問先公衆地上移動ネットワーク（ＶＰＬＭＮ）において非常セッションの試みが取り扱われるよう保証することである。
【００４１】
又、非常アクセスは、ＵＥに、適当なプライオリティ処置と、適当なネットワーク要素、例えば、特定のパケットデータゲートウェイ（ＰＤＧ／ＳＧＳＮ）又はＶＰＬＭＮのＰ−ＣＳＣＦへのアクセスと、を与えることもできる。
【００４２】
ＵＥは、ＩＰ−ＣＡＮ接続を確立するための非常指示をシグナリングに含むことができる。
【００４３】
又、ＳＩＰにおいて、非常指示は、例えば、ローミング制約が適用されないことをホームネットワークに通知するために、非常登録要求（例えば、ＳＩＰ  ＲＥＧＩＳＴＥＲ）に含ませることができる。訪問先ネットワークにおいてローカル非常コールを確立することが意図される場合には、ユーザのホームネットワークは、非常登録要求に対してローミング制約を無視することができる。
【００４４】
Ｐ−ＣＳＣＦは、他の登録要求と同様の非常指示をもつ登録要求を取り扱うことができる。
【００４５】
ベアラ登録又はリソース予約の間に、ＵＥは、取り付け要求が非常サービスに関するものであることをＩＰ−ＣＡＮに指示することができる。ＩＰ−ＣＡＮは、ＵＥからのシグナリングにおいて指示を検出し、それにより、ベアラ確立を非常ＰＤＮ接続として処置するように判断することもできる。
【００４６】
ＩＰ−ＣＡＮは、ベアラリソース要求手順の間にＵＥにＩＰアドレスを割り当てることができる。ＩＰアドレスは、ＳＩＰにおいてシグナリングするためにＵＥにより使用することができる。次いで、ＵＥは、Ｐ−ＣＳＣＦ発見手順を遂行することができる。
【００４７】
ＵＥがＩＭＳネットワークでの認証に充分な証明書を有する場合には、ＵＥは、ＩＭＳ非常登録を開始することができる。ＵＥは、ＳＩＰ  ＲＥＧＩＳＴＥＲ要求を選択されたＰ−ＣＳＣＦへ送信することができ、そして得られたＩＰアドレスを、例えば、ＲＥＧＩＳＴＥＲ要求のＳＩＰ連絡先ヘッドに含むことができる。
【００４８】
ＩＭＳ登録要求は、非常指示を含むことができる。非常パブリックユーザ識別子の暗示的登録セットは、ＰＳＴＮからユーザをコールバックするこの使用される関連ＴＥＬ  ＵＲＩを含むことができる。登録の後、ＵＥは、非常セッション指示及び登録されたパブリックユーザ識別子を含むＩＭＳセッション確立手順を使用してＩＭＳ非常セッション確立を開始することができる。
【００４９】
本発明の１つの態様によれば、非常時特有ＩＰアドレス範囲がＩＭＳ（Ｐ−ＣＳＣＦ）及び３ＧＰＰパケットコア（ＧＧＳＮ／Ｐ−ＧＷ）において一貫して構成される。非常時取り付けにおいて、ＧＧＳＮ又はＰ−ＧＷは、非常時特有アドレス範囲からＩＰアドレスだけを指定することができる。
【００５０】
非常ＰＤＮ接続特有ＩＰアドレス範囲をＰ−ＣＳＣＦにおいて構成することで、Ｐ−ＣＳＣＦは、ＲＥＧＩＳＴＥＲ要求におけるＵＥの連絡先アドレスに基づいて、ＵＥが非常ＰＤＮ接続を使用するか否か決定することができる。
【００５１】
図１は、本発明の態様による規範的なシグナリングフローを示す。１１において、ＵＥ１は、例えば、ユーザが非常番号をダイヤルし且つＵＥ１がＩＭＳネットワーク４にまだ登録されないときに、非常ＰＤＮ接続、及びネットワーク４への非常登録が要求されることを検出する。１２において、ＵＥ１は、ＧＧＳＮ又はＰ−ＧＷのようなゲートウェイ２とのＰＤＮ接続の確立を開始する。ＵＥ１は、対応する指示をシグナリング１２に含ませることで、非常目的のためにＰＤＮ接続が必要であることを指示する。１３において、ＧＷ２は、非常ＰＤＮ接続に対して予約されたＩＰアドレスの範囲からＩＰアドレスをＵＥ１に指定し、そしてその指定されたＩＰアドレスを信号１４においてＵＥ１へ返送する。１５において、ＵＥ１は、ＩＰアドレスを記憶する。ＵＥ１は、例えば、ＩＭＳネットワーク４とのＳＩＰシグナリングにおいてＩＰアドレスを使用する。１６において、ＵＥ１は、ＳＩＰ  ＲＥＧＩＳＴＥＲ要求をＰ−ＣＳＣＦ３へ送信し、そして例えば、ＲＥＧＩＳＴＥＲ要求のＳＩＰ連絡先ヘッドにおいてＩＰアドレスをＵＥの連絡先アドレスとして含む。又、ＵＥ１は、要求に非常指示を含ませることにより非常目的でユーザを登録するためのＲＥＧＩＳＴＥＲ要求が送信されることも指示する。１７において、Ｐ−ＣＳＣＦ３は、ＲＥＧＩＳＴＥＲ要求における非常指示を検出する。Ｐ−ＣＳＣＦ３は、非常ＰＤＮ接続に対して予約されたＩＰアドレスのリストを維持する。ＧＷ２及びＰ−ＣＳＣＦ３の両方において非常ＰＤＮ接続のために同じＩＰアドレスが構成される。従って、Ｐ−ＣＳＣＦ３は、ＲＥＧＩＳＴＥＲ要求におけるＩＰアドレスに基づいて、非常ＰＤＮ接続を使用してＲＥＧＩＳＴＥＲが受け取られるかどうか決定する（１７）。非常ＰＤＮ接続を使用してＲＥＧＩＳＴＥＲ要求１６が受け取られそしてＲＥＧＩＳＴＥＲが非常指示を含む場合には、Ｐ−ＣＳＣＦ３は、信号１８ａにおいてＲＥＧＩＳＴＥＲ要求をＩＭＳ４に向けて送信する。しかしながら、ＲＥＧＩＳＴＥＲ要求１６が非常ＰＤＮ接続を使用して受け取られるが、ＲＥＧＩＳＴＥＲが非常指示を含まない場合には、Ｐ−ＣＳＣＦ３は、例えば、適当なＳＩＰ  ４ｘｘ応答で１８ｂにおいてＲＥＧＩＳＴＥＲ要求を拒絶することができる。
【００５２】
本発明の一態様によれば、Ｐ−ＣＳＣＦは、非常登録以外の要求に対してＵＥが非常ＰＤＮ接続を使用するかどうか検出することができる。非常ＰＤＮ接続に対して特定のＩＰアドレス範囲を指定し、そしてＰ−ＣＳＣＦにおいて同じ範囲を構成することにより、オペレータは、Ｐ−ＣＳＣＦが、登録された連絡先アドレスに基づいて、ＵＥが初期登録のために非常ＰＤＮ接続を使用するかどうか検出できるようにする。ＵＥが非常登録以外の要求に対して非常ＰＤＮ接続を使用することをＰ−ＣＳＣＦが検出する場合には、Ｐ−ＣＳＣＦは、４ｘｘ  ＳＩＰ応答によりその要求を拒絶することができる。
【００５３】
図２は、本発明の態様を実施する装置の規範的な内部構造及びファンクションを示す。パケットゲートウェイ２（ＧＧＳＮ／Ｐ−ＧＷ）は、例えば、ＰＤＰコンテクストのような、ＰＤＮ接続を確立する要求をＵＥ１から受け取るように構成された受信ユニット２１を有する。指定ユニット２２は、ＵＥにＩＰアドレスを指定するように構成され、そして判断ユニット２５は、非常目的でＰＤＮ接続（非常ＰＤＮ接続）が必要とされるかどうか判断するように構成される。判断ユニット２５は、ＰＤＮ接続確立中にＵＥから非常指示が受け取られるかどうかチェックするように構成される。ＰＤＮ接続が非常目的である場合には、指定ユニット２２は、非常ＰＤＮ接続のためのＩＰアドレスを維持ユニット２３から検索するように構成される。維持ユニット２３は、ＵＥに割り当てられるＩＰアドレスを維持するように構成される。維持ユニット２３は、非常ＰＤＮ接続のためのＩＰアドレスの一部分のみを維持し、これは、例えば、あるＩＰアドレス範囲である。送信ユニット２４は、例えば、ＰＤＮ接続の確立中にシグナリングメッセージにおいて指定のＩＰアドレスをＵＥ１へ送信するように構成される。
【００５４】
図３は、本発明の態様を実施する装置の規範的な内部構造及びファンクションを示す。Ｐ−ＣＳＣＦのようなセッションコントロールエンティティ３は、ユーザ１をＩＭＳネットワーク４に登録する要求を受け取るように構成された受信ユニット３１を有する。この要求は、ＳＩＰ  ＲＥＧＩＳＴＥＲ要求である。登録ユニット３２は、例えば、要求における非常登録の指示に基づき、要求が非常目的での登録要求であるかどうか決定するように構成される。登録ユニット３２は、その指示に基づき、要求が非常登録以外の要求であるか非常登録要求であるか決定する。
【００５５】
維持ユニット３４は、非常パケットデータ接続に割り当てられたインターネットプロトコル（ＩＰ）アドレスに関する情報を維持するように構成される。例えば、非常パケットデータ接続に対して特定範囲のＩＰアドレスが予約される。決定ユニット３３は、要求におけるＩＰアドレスが非常パケットデータ接続に割り当てられたＩＰアドレスに属する場合には比較により非常パケットデータ接続を経て要求が受け取られたかどうか決定するように構成される。要求におけるＩＰアドレスは、ユーザの連絡先アドレスであり、及び／又は例えば、ＳＩＰ要求の連絡先ヘッダに埋め込まれる。
【００５６】
拒絶ユニット３６は、使用されるＩＰアドレスが非常パケットデータ接続に対して予約されたが要求が非常目的での登録要求ではない場合に、登録ユニット３２及び／又は決定ユニット３３と通信するように構成され、及び／又は要求を拒絶するように構成される。この拒絶は、例えば、あるＳＩＰ  ４ｘｘ応答であるＳＩＰ応答をユーザ１に送信することにより実行することができる。
【００５７】
送信ユニット３５は、
１）要求が非常目的の場合、及び／又は
２）要求が非常目的ではなく、非常パケットデータ接続を経て受け取られないとき、
ＩＭＳネットワーク４における更なる登録要求を、例えば、次のＣＳＣＦへ送信するように構成される。
【００５８】
図２及び３に関連して上述した全てのユニットは、例えば、マイクロプロセッサ、チップ、及び／又は他の電気的コンポーネントを使用して、及び／又はソフトウェアにより、実施することができる。
【００５９】
ゲートウェイエンティティ及びセッションコントロールエンティティは、データ送信及び処理タスクをサポートするか、又は他の既存の装置のコンポーネントとして実施されるスイッチ、ルーター、サーバー又は他のハードウェアプラットホーム、或いは電子装置において物理的に実施される。
【００６０】
図４は、本発明の態様を実施する規範的プロセスを示す。４１において、ＵＥ１が確立するＰＤＮ接続が非常ＰＤＮ接続として処理されねばならないかどうか、例えば、ＵＥ１から受け取られる指示に基づいて判断する。４２において、ＰＤＮ接続が非常ＰＤＮ接続である場合には、非常ＰＤＮ接続に割り当てられたＩＰアドレスをＵＥ１に指定する。ＩＰアドレスがＵＥ１へ返送された後に、４３において、ＳＩＰ  ＲＥＧＩＳＴＥＲ要求が受け取られる。４４において、例えば、ＲＥＧＩＳＴＥＲ要求の連絡先ヘッダにおけるＩＰアドレスが、非常ＰＤＮ接続に割り当てられたＩＰアドレスに属するかどうか決定することにより、要求が非常ＰＤＮ接続を経て受け取られるかどうか決定する。４５において、非常サービスのためにＵＥ１を登録する要求であるかどうか決定する。決定４４及び４５は、異なる順序で行うことができる。４６において、前記決定に基づき、要求が非常ＰＤＮ接続を経て受け取られたが、要求が非常サービスのための登録要求でない場合には、その要求を、例えば、否定ＳＩＰ応答（４ｘｘ）で拒絶することができる。４７において、要求が非常サービスのための登録要求である場合には、登録手順は、非常サービスのための通常の登録として継続することができる。
【００６１】
図５は、本発明の態様を実施するための別の規範的プロセスを示す。５１では、例えば、パケットデータゲートウェイ（ＧＧＳＮ、Ｐ−ＧＷ）において非常ＰＤＮ接続に、ある範囲のＩＰアドレスを指定する。規範的な範囲は、例えば、１２．３４．１．１ないし１２．３４．５．２５５として定義される。範囲に代わって、別のルールを使用して、非常ＰＤＮ接続に対するＩＰアドレスの特定セットを選択することもできる。
【００６２】
５２において、同じ範囲のＩＰアドレスを、セッションコントロールエンティティ（Ｐ−ＣＳＣＦ）において非常ＰＤＮ接続に対して予約されるものとして構成する。５３において、ＵＥ１からの登録要求におけるＵＥ１の連絡先アドレスのＩＰアドレスが、非常ＰＤＮ接続に対して予約されたＩＰアドレスに属するかどうか検出する。５４において、ＵＥ１が非常登録以外の要求に対して非常ＰＤＮ接続を使用する場合には、要求を拒絶することができる。
【００６３】
上述した本発明の目的に対して、次のことに注意されたい。
−シグナリングをネットワーク要素又はノードへ及びネットワーク要素又はノードから転送するアクセス技術は、ノードが（例えば、ベースステーション又は一般的にアクセスノードを経て）アクセスネットワークにアクセスできるようにする技術である。現在又は将来の技術、例えば、ＷＬＡＮ（ワイヤレスローカルアクセスネットワーク）、ＷｉＭＡＸ（マイクロ波アクセスのための世界的相互運用性）、ＢｌｕｅＴｏｏｔｈ、赤外線、等を使用することができ；前記技術は、ほとんど、例えば、異なる無線スペクトルにおけるワイヤレスアクセス技術であるが、本発明の意味でのアクセス技術は、ワイヤバウンド技術、例えば、ケーブルネットワーク又は固定ライン等のＩＰベースのアクセス技術を意味するが、回路交換アクセス技術も意味し；アクセス技術は、パケット交換及び回路交換のような少なくとも２つのカテゴリ又はアクセスドメインにおいて区別できるが、３つ以上のアクセスドメインの存在は、本発明の適用を妨げるものではない。
【００６４】
−使用可能なアクセスネットワークは、ステーション、エンティティ、又は他のユーザ装置が、アクセスネットワークにより提供されるサービスに接続し及び／又はそれを利用できるようにするデバイス、装置、ユニット又は手段であり；そのようなサービスは、とりわけ、データ及び／又は（オーディオ）ビジュアル通信、データダウンロード、等を含む。
【００６５】
−ユーザ装置は、システムユーザ又は加入者が、移動電話、パーソナルデジタルアシスタント、ＰＤＡ、又はコンピュータのようなアクセスネットワークからのサービスを受けられるようにするデバイス、装置、ユニット又は手段である。
【００６６】
−おそらくソフトウェアコード部分として実施されそして（デバイス、装置及び／又はモジュールの例として或いは装置及び／又はモジュールを含むエンティティの例として）ネットワーク要素又はターミナルにプロセッサを使用して実行される方法ステップは、ソフトウェアコード独立であり、そして方法ステップによって定義される機能が保存される限り既知の又は将来開発されるプログラミング言語を使用して指定される。
【００６７】
−一般的に、方法ステップは、実施される機能に関して本発明の考え方を変更することなくソフトウェアとして又はハードウェアにより実施するのに適している。
【００６８】
−ターミナル又はネットワーク要素或いはそのモジュールにおいておそらくハードウェアコンポーネントとして実施される方法ステップ及び／又はデバイス、装置、ユニット又は手段は、ハードウェア独立であり、そして既知の又は将来開発されるハードウェア技術或いはそれらの混成、例えば、ＭＯＳ（金属酸化物半導体）、ＣＭＯＳ（相補的ＭＯＳ）、ＢｉＭＯＳ（バイポーラＭＯＳ）、ＢｉＣＭＯＳ（バイポーラＣＭＯＳ）、ＥＣＬ（エミッタ結合ロジック）、ＴＴＬ（トランジスタ／トランジスタロジック）、等を使用し、例えば、ＡＳＩＣ（特定用途向けＩＣ（集積回路））コンポーネント、ＦＰＧＡ（フィールドプログラマブルゲートアレイ）コンポーネント、ＣＰＬＤ（コンプレックスプログラマブルロジックデバイス）コンポーネント、又はＤＳＰ（デジタルシグナルプロセッサ）コンポーネントを使用して実施され；加えて、おそらくソフトウェアコンポーネントとして実施される方法ステップ及び／又はデバイス、ユニット又は手段は、例えば、認証、許可、キーイング及び／又はトラフィック保護を行うことのできるセキュリティアーキテクチャーに基づくものである。
【００６９】
−デバイス、装置、ユニット又は手段は、個々のデバイス、装置、ユニット又は手段として実施されるが、これは、デバイス、装置、ユニット又は手段の機能が保存される限り、それらがシステム全体にわたり分散形態で実施されることを除外するものではない。
【００７０】
−装置は、半導体チップ、チップセット、又はそのようなチップ又はチップセットを含む（ハードウェア）モジュールにより表されるが、これは、装置又はモジュールの機能が、ハードウェアで実施されるのではなく、プロセッサ上で実行／ランされる実行可能なソフトウェアコード部分を含むコンピュータプログラム又はコンピュータプログラム製品のような（ソフトウェア）モジュールにおいてソフトウェアとして実施される可能性を除外するものではない。
【００７１】
−デバイスは、例えば、互いに協働する機能であるか、又は互いに独立しているが同じデバイスハウジング内にある機能であるかに関わらず、装置、或いは２つ以上の装置のアッセンブリとしてみなされる。
【００７２】
本発明は、ＩＭＳネットワークにおける登録の取り扱いに限定されず、同様の種類のセッションコントロールエンティティを有する他の形式のネットワークに適用することもでき、そして非常登録には、パケットデータベアラ及び登録手順の両方についてプライオリティを与えることができる。上述したゲートウェイエンティティ及びセッションコントロールエンティティの機能は、コード手段によって実施されてもよく、ソフトウェアとして実施されてもよく、そしてコンピュータのメモリにロードされてもよい。
【符号の説明】
【００７３】
１：ユーザ装置
２：ゲートウェイ
３：セッションコントロールユニット
４：ＩＭＳネットワーク
１２：シグナリング
１４：信号
１６：ＲＥＧＩＳＴＥＲ要求
２１：受信ユニット
２２：指定ユニット
２３：維持ユニット
２４：送信ユニット
２５：判断ユニット
３１：受信ユニット
３２：登録ユニット
３３：決定ユニット
３４：維持ユニット
３５：送信ユニット
３６：拒絶ユニット
【図１】
0005633947.tif 000002
【図２】
0005633947.tif 000003
【図３】
0005633947.tif 000004
【図４】
0005633947.tif 000005
【図５】
0005633947.tif 000006